(57)【要約】      （修正有）【課題】省エネルギーでエコな冷房が可能で、加えて湿度を下げることができる、井戸水を用いた井水式ユニットクーラーを提供する。【解決手段】井戸水１を吸水する配管４とポンプ２を有し、該ポンプ２からろ過装置３を配管４を介して設け、さらに冷水コイルを有する熱交換器５に接続配管し、空気を流動させて前記熱交換器５を通過できるように有圧換気扇６を設け、該有圧換気扇６により、熱交換器５で冷却された空気をダンパーに送れるように設け、このダンパーを通過させ、風向きを変え、室内をスポット冷房する。【選択図】図１
0003214245.tif 000002
【実用新案登録請求の範囲】
【請求項１】
井戸水を吸水する配管とポンプを有し、該ポンプからろ過装置を配管を介して設け、さらに冷水コイルを有する熱交換器に接続配管し、空気を流動させて前記熱交換器を通過できるように有圧換気扇を設け、該有圧換気扇により、熱交換器で冷却された空気をダンパーに送れるように設け、このダンパーを通過させ、風向きを変え、室内をスポット冷房することを特徴とする井戸水を用いた井水式ユニットクーラー。
【考案の詳細な説明】
【技術分野】
【０００１】
本考案は、井戸水を用いて省エネルギー並びに環境負荷の軽減を図りながら井戸水を用いた井水式ユニットクーラーに関するものである。
【背景技術】
【０００２】
従来技術としては、井戸の地下水をヒートポンプへ供給するポンプと配管、ヒートポンプのクーラーで冷却された地下水を受水タンク、ポンプを介して水対空気対向流型の熱交換機へ供給する配管、前記熱交換機から流出される地下水をヒートポンプのコンデンサーへ導く配管、前記コンデンサーから地下水を排出する配管を備えてなり、温室内の空気を前記熱交換機の空気取入口から取り入れ、熱交換機内で熱交換をなし冷風を空気噴出口から温室内に噴出して該温室を冷房する施設園芸用温室における冷房装置（例えば、特許文献１参照）が存在している。
【先行技術文献】
【特許文献】
【０００３】
【特許文献１】特公昭６３−５０９６８号公報（特許請求の範囲の欄、発明の詳細な説明の欄、及び図１、図３、図４参照）
【考案の概要】
【考案が解決しようとする課題】
【０００４】
今日、地球温暖化は世界規模の問題となっており、日本の夏の平均気温は上昇傾向が続いている。また、日本の夏は湿度が高いことも特徴である。工場などの生産設備では、機械動作に伴う発熱や蒸気排出などで、室温・湿度がさらに上昇する。室温４０℃・湿度６０％をこえる日も少なくなく、過酷な労働環境への対応整備が急務である。生産設備は作業空間が広く機械などの熱源も多いため、従来のパッケージエアコンで冷房を行おうとすると、多大な電気代がかかってしまう。これらの問題を解決したもので、省エネルギーでエコな冷房が可能で、加えて湿度を下げることができる冷房機器が求められている。
そこで、本考案は、上記課題を解消した井戸水を用いた井水式ユニットクーラーを提供するものである。
【課題を解決するための手段】
【０００５】
本考案の第１考案は、請求項１に記載された通りの井戸水を用いた井水式ユニットクーラーであり、次のようなものである。
井戸水を吸水する配管とポンプを有し、該ポンプからろ過装置を配管を介して設け、さらに冷水コイルを有する熱交換器に接続配管し、空気を流動させて前記熱交換器を通過できるように有圧換気扇を設け、該有圧換気扇により、熱交換器で冷却された空気をダンパーに送れるように設け、このダンパーを通過させ、風向きを変え、室内をスポット冷房する構成である。
【考案の効果】
【０００６】
本考案に係る井戸水を用いた井水式ユニットクーラーは、上記説明のような構成を有するので、以下に記載する効果を奏する。
（１）日本国は地下水が豊富で、井戸水等の地下水（例えば１７℃）を利用することによって、２３℃〜２５℃の吹出し冷風を作ることができ、この２３℃〜２５℃程度の温度でも、事務所等とは違い、工場、倉庫では体感温度として、充分涼しく感じられるものである。必要な電力は有圧換気扇を駆動するための電気代のみで済み、従来のエアコンで冷房する場合に比べて電気代は９０％程度節約できるものである。
（２）本考案の井戸水を用いた井水式ユニットクーラーを利用して、使用後の水は、約３０℃前後まで上がる。これを再利用（蒸気ボイラー、温水ボイラー等）することで、エコに加えて燃料代の節約になるものである。
（３）夏だけでなく、冬場には低温水を利用することで、暖房にも生かせるもので、エコな冷房・暖房が可能なものである。
（４）建物は既設のままで、スポット冷房できるものである。
（５）除湿効果も期待することができる。
【図面の簡単な説明】
【０００７】
【図１】本考案の井戸水を用いた井水式ユニットクーラーに係る装置全体を示す概略平面図である。
【図２】本考案の井戸水を用いた井水式ユニットクーラーに係る装置の一部を示す概略正面図である。
【図３】本考案の井戸水を用いた井水式ユニットクーラーに係る装置の一部を示す概略右側面図である。
【考案を実施するための形態】
【０００８】
井戸水を吸水する配管とポンプを有し、該ポンプからろ過装置を配管を介して設け、さらに冷水コイルを有する熱交換器に接続配管し、空気を流動させて前記熱交換器を通過できるように有圧換気扇を設け、該有圧換気扇により、熱交換器で冷却された空気をダンパーに送れるように設け、このダンパーから室内のスポット冷房する井戸水を用いた井水式ユニットクーラーである。
【実施例】
【０００９】
以下、本考案の一実施例を図面を用いて詳細に説明する。
図１〜図３に示すように、本実施形態に係る本考案の井戸水を用いた井水式ユニットクーラーの使用場所としては、クリーニング工場、高温な作業場、既存の一般の工場、倉庫などが考えられる。前記課題を解決する手段として、井戸水を用いた井水式ユニットクーラーを考案したものである。
熱交換器５で取り込んだ空気を冷やし、湿度を取り除き、有圧換気扇６によって冷やした空気をダンパー７に送り込み、更にダンパー７から室内に冷風を送り込む装置である。
熱交換器５の冷媒としては、井戸水１だけでなく、各種地下水、又は、川の水等を使用するもので、従来のエアコンの大半を占めている空気を冷やすための電気代は相当部分倹約できるものである。
本願考案の井戸水を用いた井水式ユニットクーラーは、冷媒として熱交換器５を通過した地下水や井戸水は約１０度上昇して排出される。例えば、井戸水を使用しているクリーニング業などの生産設備では、そのままの温度で使うには、冷え過ぎるため、井戸水をボイラー等で温めて使用している場合が多々ある。このような場合、本考案の井戸水を用いた井水式ユニットクーラーで使用した井戸水を再利用することで、温めるコストも削減することができる。
冷やされた空気は、有圧換気扇６によって送り出され、ダンパー７に流れ込み、このダンパー７より冷風を作業者に当てるようにすることができる。建物内に冷風を送風することによって、建物全体を冷やさずにスポットで冷房を行うことができる。これらの点により、井戸水を用いた井水式ユニットクーラーは生産設備のための省エネルギーでエコな冷房装置といえるものである。
【００１０】
ここで、一実施例について図１〜図３に基づいて構成を説明する。
井戸等の井戸水１を配管４で吸水して送水するポンプ２と、その井戸水１を清浄な水にするためにろ過装置３を介するものである。
このポンプ２、ろ過装置３を介して吸水された井戸水１は、冷水コイル式の熱交換器５へ供給し、熱交換器５で地下水対空気対向流されて冷えた井戸水１の温度を利用して、熱空気を冷やすもので、この冷やされた空気を有圧換気扇６によりダンパー７に送り出され、このダンパー７を通過させ、風向きを変えて、個々に必要な箇所に冷風を噴出提供できるものである。
また、井戸水１は冷水コイルを有する熱交換器５を通して、井戸水出口８から排水するもので、この排水される井戸水は、約１０℃前後高くなって排水されるので、これをボイラー等に再利用することで、エネルギーの有効利用が可能にできるものである。
【００１１】
なお、冷水コイル式の熱交換器５の構造は、冷水コイルは、プレートフィンコイルといい、銅製のパイプが何十本と規則正しく並設され、そこに３００枚ほどのアルミ製プレートフィンが等間隔で差し込まれて設けられている。それぞれのパイプは、ベンドと呼ばれるＵ字管でつながっており、ポンプから吸い上げられた井戸水は、順々にパイプを通過していくもので、銅（アルミでも良い）は熱伝導率が良く、井戸水によって、パイプ、フィンと共に冷やされる。前記有圧換気扇６によって吸い上げられた空気は、パイプに差し込まれたフィンの隙間を通過し、熱交換が行われ、冷やされる。冷たいフィンに温度が高い空気が触れることで、フィンが結露し、ドレンとなってフィンを伝わり下に落ちる。この作用があるため、井戸水を用いた本願考案の井水式ユニットクーラーが除湿を行えるものである。
【００１２】
また、井戸水の配管と、冷水コイルの接続は、井戸水の配管が、使用場所によって異なっており、本願考案の井戸水を用いた井水式ユニットクーラーのソケットに井戸水が通過する配管をつなげるだけで使用でき、冷水コイルによる水頭損失は少ないものであり、通常のポンプを使用すれば十分事足りるものである。
【産業上の利用可能性】
【００１３】
クリーニング工場、高温な作業場、工場、倉庫などでは、特に温度が高いだけでなく、湿度も高いので、噴出される冷風の温度はそれほど低いものではないが、体感温度として充分涼しく感じられるものであるが、これだけでなく、近年の夏の気温上昇に伴い、普通の建物であっても体感温度として充分に涼しく感じられるため、事務所や個人住宅等でも利用できるものである。
【符号の説明】
【００１４】
１・・・・井戸水
２・・・・ポンプ
３・・・・ろ過装置
４・・・・配管
５・・・・熱交換器
６・・・・有圧換気扇
７・・・・ダンパー
８・・・・井戸水出口
【図１】
0003214245.tif 000003
【図２】
0003214245.tif 000004
【図３】
0003214245.tif 000005